(57)【要約】      （修正有）【課題】ガード板に手の指などが挟まった場合に軽い力でガード板が僅かでも開くようにして安全性を向上させる。【解決手段】空気シリンダにより開き、スプリングにより閉じる上下方向に開閉するインターロックガード式安全装置において、スプリングを介して下ガード板３ｂを吊っているステー１４と下ガード板３ｂとの間にクッションばね２７を挿入して弾性支持することにより、下ガード板３ｂを下方向に押したときステー１４は動かなくても下ガード板３ｂだけが下方に開くことを可能とする。【選択図】図１
2015020201.tif 000002
【特許請求の範囲】
【請求項１】
プレス機械の前面に取り付けられ，空気シリンダにより開き，スプリングにより閉じる上下方向に開閉する上ガード板と下ガード板とからなるプレス機械のインターロックガード式安全装置において、
前記スプリングを介して下ガード板を吊っているステーと下ガード板との間に弾性体を挿入することにより，下ガード板を下方向に押したとき前記ステーとは別個に下ガード板のみが下方に開くことを可能とした挟まれ時の緩衝機能を有するプレス機械のインターロックガード式安全装置。
【請求項２】
前記弾性体が圧縮形の金属製コイルばねである請求項１に記載のプレス機械のインターロックガード式安全装置。
【発明の詳細な説明】
【技術分野】
【０００１】
本発明は、プレス機械における作業に際して、作業者の安全を確保するためのプレス機械の安全装置に関する。
【背景技術】
【０００２】
プレス機械の作業において、作業者の安全を確保するためにさまざまな安全装置が提案され、採用されている。現在一般に採用されている安全装置は両手操作式、光線式、手引き式、手払い式、インターロックガード式などに分類することができるが、本発明の安全装置はこの中のインターロックガード式に属する。
【０００３】
インターロックガード式安全装置は、プレス機械への加工物（ワーク）の装入、取り出し面をガード板で遮蔽することにより、スライドの作動中は作業者の身体が危険区域に入らないようにするものであり、併せて作業中のトラブル等によるワークや切断片の飛散等からも作業者を守ることができるなど、高度な安全性を有する方式である。
【０００４】
インターロックガード式安全装置にも左右開閉式、上下開閉式などの種類があるが、本発明は上下開閉式に関するものである。
【０００５】
特許文献１に上下に開閉するインターロックガード式安全装置の一例が記載されているので、まずこれを簡単に説明する。
【０００６】
図４は特許文献１に示されている上下に開閉するインターロックガード式安全装置の正面図である。
【０００７】
ガード板は上ガード板３ａと下ガード板３ｂとに上下に２分割されている。フレーム１の頂部にあるエアシリンダ４のストロークを、レバー６ａ，６ｂ、コンロッド７ａ，７ｂ，７ｃで構成されるリンク機構により増幅させ、コンロッド７ｃによりレバー６ａに連結されている上ガード板３ａと、ステー１４によりヨーク８ｂと連結されている下ガード板３ｂとを同時に作動させる。開動作はエアシリンダ４に圧縮空気を供給することで行い、閉動作は、シリンダ４の内部を排気することにより、上下２本のヨーク８ａ，８ｂのうち下方にあるヨーク８ｂの両端を吊っている引張スプリング９のばね力で行う。
【０００８】
開閉ストローク５００ｍｍのガード板の例で、ばね常数を０．４９６Ｎ／ｍｍとし、閉状態における張力が４３．０Ｎ、開状態における張力が１３２．２Ｎであるとすれば、閉じた状態におけるスプリング張力は無負荷に近く、かつ調整も可能であるから、元来、挟まれ事故は軽微なものではある。
【０００９】
なお、符号５はエアシリンダ４を作動させる電磁弁、符号２４は両手操作押ボタン、符号２１は上下ガード板３ａ，３ｂの接触面に取り付けられた緩衝材である。
【００１０】
図５はこの従来例における下ガード板３ｂの上下動する案内部分の部分水平断面図で、フレーム１の内側にガイドレール２が取り付けられており、その溝をガイドとしてコンロッド７ｃに取り付けられた上ガード板３ａとステー１４に取り付けられた下ガード板３ｂとが上下動するのである。
【先行技術文献】
【特許文献】
【００１１】
【特許文献１】特許第３３１９７２５号公報
【発明の概要】
【発明が解決しようとする課題】
【００１２】
このようなインターロックガード式安全装置においては、上下ガード板３ａ，３ｂの間に材料や身体の一部などが挟まった場合はガード板が完全に閉まらないから、レバーに取り付けてあるマイクロスイッチが作動せず、閉の確認信号が出ないのでプレス機械そのものは始動しないように安全が図られている。
【００１３】
しかし、大型プレス機械などではガード板も大型化する。一例を挙げると、上ガード板は横幅２０００ｍｍ、上下長さ（高さ）５９０ｍｍ、板厚１０ｍｍで質量は１４．２ｋｇ、下ガード板は横幅２０００ｍｍ、上下長さ（高さ）３００ｍｍ、板厚１０ｍｍで質量は７．２ｋｇもあり、このようなガード板が作業者の目の前で頻繁に開閉動作を繰り返すから、閉じようとする際に腕や手の指等を挟まれると、例えプレス機械が始動しなくても、挟まれること自体で、華奢な身体部分である指などは骨折の危険がある。上下ガード板３ａ，３ｂの合わせ面には軟質樹脂などの緩衝材が取り付けてはあるものの、これだけでは不十分である。
【００１４】
上下のガード板間に異物が挟まった場合、軽い力で上下ガード板が僅かなりと開くような構造とすることが望ましい。
【００１５】
本発明は、下ガード板を吊っている部分に弾性体を挿入することにより、上下ガード板間に何かが挟まった場合、開閉機構にかかわりなくガード板が多少開くようにして上下開閉式のガード装置の安全性を一層向上させることを目的とする。
【課題を解決するための手段】
【００１６】
請求項１に記載の本発明は、プレス機械の前面に取り付けられ、空気シリンダにより開き、スプリングにより閉じる上下方向に開閉する上ガード板と下ガード板とからなるプレス機械のインターロックガード式安全装置において、前記スプリングを介して下ガード板を吊っているステーと下ガード板との間に弾性体を挿入することにより、下ガード板を下方向に押したとき前記ステーとは別個に下ガード板のみが下方に開くことを可能とした挟まれ時の緩衝機能を有するプレス機械のインターロックガード式安全装置である。
【００１７】
請求項２に記載の本発明は、前記弾性体が圧縮形の金属製コイルばねである請求項１に記載のプレス機械のインターロックガード式安全装置である。
【発明の効果】
【００１８】
本発明によれば、挟まった物体を押しつぶすよりも軽い力によって弾性体が変形してガード板が開くので骨折等の事故を防止することができ、インターロックガード式安全装置の安全性が一層向上するという、すぐれた効果を奏する。
【図面の簡単な説明】
【００１９】
【図１】本発明実施例の要部を示すインターロックガード式安全装置の部分斜視図である。
【図２】同じく本発明実施例の要部を示すインターロックガード式安全装置の部分斜視図である。
【図３】本発明実施例におけるガード板の上下動部分を示す部分断面図である。
【図４】本発明が前提とする従来のインターロックガード式安全装置の一例の正面図である。
【図５】従来の技術におけるガード板の上下動部分を示す部分断面図である。
【発明を実施するための形態】
【００２０】
以下、本発明の実施例を図面により説明する。なお、以下に説明する実施例は、図４に示す従来例を改良したものであるから、図４に示す構成と同様の部分には図４に付した符号と同じ符号を付してその詳細な説明は省略する。図１は実施例の下ガード板３ｂがステー１４に取り付けられている部分を示す部分斜視図、図２は同じ実施例の下ガード板３ｂのみを示す部分斜視図である。
【００２１】
特許文献１に記載の従来のインターロックガード式安全装置においては、下ガード板３ｂは両脇でステー１４に直接固定され、さらにステー１４はヨーク８ｂの両端に固定されていたから、下ガード板３ｂの位置はリンク機構によって決まってしまっていたが、本発明ではステー１４と下ガード板３ｂとを一旦縁を切り、下ガード板３ｂにはステー１４が挿入可能な断面を有するガイド状のホルダ２５を取り付けるとともに縦方向にピン２６を配置し、ステー１４にはこのピン２６に対応する位置に縦方向のクッションばね２７を配置し、ホルダ２５内にステー１４を挿入して、下ガード板３ｂの重量をピン２６を介してクッションばね２７で受けるようにした。またステー１４にはクッションばね２７が圧縮される範囲にピン２６が移動できるよう、長孔２８を設けてある。
【００２２】
このようにすることによって、下ガード板３ｂはクッションばね２７を介してステー１４に取り付けられることになり、ステー１４が動かなくても外力によって下ガード板３ｂは下方に変位できる。クッションばね２７は圧縮ばねで、樹脂、ゴム等の軟らかい弾性材料や空気ばねなどでもよいが、コンパクトで長寿命が期待できる点において圧縮形の金属製コイルばねがもっとも好ましい。クッションばね２７の配置数やばね特性等は下ガード板３ｂの重量等から適宜選択すればよいが、片側あたり１ないし３箇所が妥当であろう。また、１か所あたりのばね数も１ないし３である。
【００２３】
図３はさきに従来のものについて説明した図５に対応するガード板の上下動部分を示す部分水平断面図で、ホルダ２５内にステー１４が挿入され、ピン２６がステー１４を貫通して下ガード板３ｂに固定されている状態を示している。クッションばねや長孔などはこの図では省略している。
【符号の説明】
【００２４】
１…フレーム、  ２…ガイドレール、  ３ａ，３ｂ…上下ガード板、  4…エアシリンダ、  ５…電磁弁、  ６ａ，６ｂ…レバー、  ７ａ，７ｂ，７ｃ…コンロッド、  ８ａ，８ｂ…ヨーク、  ９…引張スプリング、  １４…ステー、  ２１…緩衝材、  ２４…両手操作押しボタン、  ２５…ホルダ、  ２６…ピン、  ２７…クッションばね、  ２８…長孔。
【図１】
2015020201.tif 000003
【図２】
2015020201.tif 000004
【図３】
2015020201.tif 000005
【図４】
2015020201.tif 000006
【図５】
2015020201.tif 000007